(57)【要約】【課題】温度が異なる熱媒体が切り替えて供給される吸着式冷凍機において、熱媒体の切り替えに伴う熱ロスを低減させる。【解決手段】凝縮用熱媒体または蒸発用熱媒体が供給される第１、第２蒸発凝縮部１３、２３と、第１、第２蒸発凝縮部１３、２３に熱媒体を供給する蒸発凝縮用供給部８１、８３と、第１、第２蒸発凝縮部１３、２３に供給される熱媒体の流路を切り替える蒸発凝縮用切替部７４〜７７とを備える。凝縮用熱媒体と蒸発用熱媒体は温度が異なっている。蒸発凝縮用切替部７４〜７７は、第１蒸発凝縮部１３に凝縮用熱媒体が供給され、第２蒸発凝縮部２３に蒸発用熱媒体が供給される第１作動状態と、第１蒸発凝縮部１３に蒸発用熱媒体が供給され、第２蒸発凝縮部２３に凝縮用熱媒体が供給される第２作動状態とを切り替えることができ、作動状態の切替期間の少なくとも一部で蒸発凝縮用供給部８１８３は熱媒体の供給量を調整する。【選択図】図６
2019124433.tif 000002
【特許請求の範囲】
【請求項１】
被吸着媒体の蒸発および吸着と、被吸着媒体の脱離および凝縮とを行い、被吸着媒体の蒸発潜熱により冷凍能力を得る吸着式冷凍機であって、
被吸着媒体を凝縮する際に凝縮を促進するための凝縮用熱媒体が供給され、被吸着媒体を蒸発する際に蒸発を促進するための蒸発用熱媒体が供給される第１、第２蒸発凝縮部（１３、２３）と、
前記第１、第２蒸発凝縮部に前記凝縮用熱媒体および前記蒸発用熱媒体を供給する蒸発凝縮用供給部（８１、８３）と、
前記第１、第２蒸発凝縮部に供給される前記凝縮用熱媒体および前記蒸発用熱媒体の流路を切り替える蒸発凝縮用切替部（７４〜７７）とを備え、
前記凝縮用熱媒体と前記蒸発用熱媒体は温度が異なっており、
前記蒸発凝縮用切替部は、前記第１蒸発凝縮部に前記凝縮用熱媒体が供給され、前記第２蒸発凝縮部に前記蒸発用熱媒体が供給される第１作動状態と、前記第１蒸発凝縮部に前記蒸発用熱媒体が供給され、前記第２蒸発凝縮部に前記凝縮用熱媒体が供給される第２作動状態とを切り替えることができ、
前記蒸発凝縮用切替部が前記第１作動状態と前記第２作動状態との間で作動状態の切り替えを行う切替期間の少なくとも一部において、前記蒸発凝縮用供給部は前記凝縮用熱媒体および前記蒸発用熱媒体の供給量を調整する吸着式冷凍機。
【請求項２】
前記切替期間の少なくとも一部において、前記蒸発凝縮用供給部は前記凝縮用熱媒体および前記蒸発用熱媒体の供給量を減少させる請求項１に記載の吸着式冷凍機。
【請求項３】
前記切替期間の少なくとも一部において、前記蒸発凝縮用供給部は前記凝縮用熱媒体および前記蒸発用熱媒体の供給を停止する請求項１に記載の吸着式冷凍機。
【請求項４】
前記切替期間の開始前あるいは開始時に、前記蒸発凝縮用供給部は前記凝縮用熱媒体および前記蒸発用熱媒体の供給量調整を開始する請求項１ないし３のいずれか１つに記載の吸着式冷凍機。
【請求項５】
前記切替期間の終了前、終了時あるいは終了後に、前記蒸発凝縮用供給部は、前記凝縮用熱媒体および前記蒸発用熱媒体の供給量調整を終了し、供給量調整開始前の供給量にする請求項１ないし４のいずれか１つに記載の吸着式冷凍機。
【請求項６】
前記蒸発凝縮用切替部は、前記第１作動状態と前記第２作動状態との間で作動状態を切り替える際に、前記第１蒸発凝縮部および前記第２蒸発凝縮部との間で前記凝縮用熱媒体および前記蒸発用熱媒体を循環させる第３作動状態を経由させる請求項１ないし５のいずれか１つに記載の吸着式冷凍機。
【請求項７】
被吸着媒体を吸着する際に吸着を促進するための吸着用熱媒体が供給され、被吸着媒体を脱離する際に脱離を促進するための脱離用熱媒体が供給される第１、第２吸着部（１２、２２）と、
前記第１、第２吸着部に前記吸着用熱媒体および前記脱離用熱媒体を供給する吸着脱離用供給部（８０、８２）と、
前記第１、第２吸着部に供給される前記吸着用熱媒体および前記脱離用熱媒体を切り替える吸着脱離用切替部（７４〜７７）とを備え、
前記熱媒体のうち、前記吸着用熱媒体と前記脱離用熱媒体は、温度が異なっており、
前記吸着脱離用切替部は、前記第１作動状態では、前記第１吸着部に前記脱離用熱媒体を供給し、前記第２吸着部に前記吸着用熱媒体を供給し、前記第２作動状態では、前記第１吸着部に前記吸着用熱媒体を供給し、前記第２吸着部に前記脱離用熱媒体を供給するように構成され、
前記吸着脱離用切替部が前記第１作動状態と前記第２作動状態との間で作動状態の切り替えを行う切替期間の少なくとも一部において、前記吸着脱離用供給部は前記吸着用熱媒体および前記脱離用熱媒体の供給量を調整する請求項１ないし６のいずれか１つに記載の吸着式冷凍機。
【請求項８】
被吸着媒体の蒸発および吸着と、被吸着媒体の脱離および凝縮とを行い、被吸着媒体の蒸発潜熱により冷凍能力を得る吸着式冷凍機であって、
被吸着媒体を吸着する際に吸着を促進するための吸着用熱媒体が供給され、被吸着媒体を脱離する際に脱離を促進するための脱離用熱媒体が供給される第１、第２吸着部（１２、２２）と、
前記第１、第２吸着部に前記吸着用熱媒体および前記脱離用熱媒体を供給する吸着脱離用供給部（８０、８２）と、
前記第１、第２吸着部に供給される前記吸着用熱媒体および前記脱離用熱媒体を切り替える吸着脱離用切替部（７４〜７７）とを備え、
前記熱媒体のうち、前記吸着用熱媒体と前記脱離用熱媒体は、温度が異なっており、
前記吸着脱離用切替部は、前記第１吸着部に前記脱離用熱媒体を供給し、前記第２吸着部に前記吸着用熱媒体を供給する第１作動状態と、前記第１吸着部に前記吸着用熱媒体を供給し、前記第２吸着部に前記脱離用熱媒体を供給する第２作動状態とを切り替えることができ、
前記吸着脱離用切替部が前記第１作動状態と前記第２作動状態との間で作動状態の切り替えを行う切替期間の少なくとも一部において、前記吸着脱離用供給部は前記吸着用熱媒体および前記脱離用熱媒体の供給量を調整する吸着式冷凍機。
【請求項９】
前記切替期間の少なくとも一部において、前記吸着脱離用供給部は前記吸着用熱媒体および前記脱離用熱媒体の供給量を減少させる請求項７または８に記載の吸着式冷凍機。
【請求項１０】
前記切替期間の少なくとも一部において、前記吸着脱離用供給部は前記吸着用熱媒体および前記脱離用熱媒体の供給を停止する請求項７または８に記載の吸着式冷凍機。
【請求項１１】
前記切替期間の開始前あるいは開始時に、前記吸着脱離用供給部は前記吸着用熱媒体および前記脱離用熱媒体の供給量調整を開始する請求項７ないし１０のいずれか１つに記載の吸着式冷凍機。
【請求項１２】
前記切替期間の終了前、終了時あるいは終了後に、前記吸着脱離用供給部は、前記吸着用熱媒体および前記脱離用熱媒体の供給量調整を終了し、供給量調整開始前の供給量にする請求項７ないし１１のいずれか１つに記載の吸着式冷凍機。
【請求項１３】
前記吸着脱離用切替部は、前記第１作動状態と前記第２作動状態との間で作動状態を切り替える際に、前記第１吸着部および前記第２吸着部との間で前記吸着用熱媒体および前記脱離用熱媒体を循環させる第３作動状態を経由させる請求項７ないし１２のいずれか１つに記載の吸着式冷凍機。
【発明の詳細な説明】
【技術分野】
【０００１】
本発明は、吸着剤への被吸着媒体の吸着と吸着剤からの被吸着媒体の脱離を交互に行うことによって、連続的に冷凍能力を得る吸着式冷凍機に関するものである。
【背景技術】
【０００２】
従来より、略真空に保たれた密閉容器の内部に、被吸着媒体（例えば水）を吸着および脱離する吸着剤が充填された吸着部と、外部から供給される熱媒体と被吸着媒体との間で熱交換を行い被吸着媒体を蒸発または凝縮させる蒸発凝縮部（熱交換器）が設けられた吸着器が知られている（例えば、特許文献１参照）。
【０００３】
この種の吸着器では、２つの蒸発凝縮部に温度が異なる冷却水を供給することで、一方の蒸発凝縮部で被吸着媒体を蒸発させ、他方の蒸発凝縮部で被吸着媒体を凝縮させている。そして、２つの蒸発凝縮部に供給される冷却水を切替弁によって切り替えることで、蒸発凝縮部における被吸着媒体の蒸発と凝縮が切り替えられるようになっている。
【０００４】
また、２つの吸着部においても、温度が異なる冷却水を供給することで、一方の吸着器で被吸着媒体を吸着させ、他方の吸着部で被吸着媒体を脱離させている。そして、２つの吸着部に供給される冷却水を切替弁によって切り替えることで、吸着部における被吸着媒体の吸着と脱離が切り替えられるようになっている。
【先行技術文献】
【特許文献】
【０００５】
【特許文献１】特開２０１６−２００３４２号公報
【発明の概要】
【発明が解決しようとする課題】
【０００６】
一般的に切替弁は、流路切り替えを開始してから完了するまでに時間を要する。このため、蒸発凝縮部および吸着部では、冷却水流路の切り替えを開始すると、切替前の冷却水の流量が徐々に減少し、切替後の冷却水の流量が徐々に増加していく。このため、切替弁による流路切り替え期間中は、温度が異なる冷却水が混合されることとなり、熱ロスが発生する。
【０００７】
本発明は上記点に鑑み、温度が異なる熱媒体を切り替えて供給される吸着式冷凍機において、熱媒体の切り替えに伴う熱ロスを低減させることを目的とする。
【課題を解決するための手段】
【０００８】
上記目的を達成するため、請求項１に記載の発明は、被吸着媒体の蒸発および吸着と、被吸着媒体の脱離および凝縮とを行い、被吸着媒体の蒸発潜熱により冷凍能力を得る吸着式冷凍機であって、被吸着媒体を凝縮する際に凝縮を促進するための凝縮用熱媒体が供給され、被吸着媒体を蒸発する際に蒸発を促進するための蒸発用熱媒体が供給される第１、第２蒸発凝縮部（１３、２３）と、第１、第２蒸発凝縮部に凝縮用熱媒体および蒸発用熱媒体を供給する蒸発凝縮用供給部（８２、８３）と、第１、第２蒸発凝縮部に供給される凝縮用熱媒体および蒸発用熱媒体の流路を切り替える蒸発凝縮用切替部（７４〜７７）とを備え、
凝縮用熱媒体と蒸発用熱媒体は温度が異なっており、蒸発凝縮用切替部は、第１蒸発凝縮部に凝縮用熱媒体が供給され、第２蒸発凝縮部に蒸発用熱媒体が供給される第１作動状態と、第１蒸発凝縮部に蒸発用熱媒体が供給され、第２蒸発凝縮部に凝縮用熱媒体が供給される第２作動状態とを切り替えることができ、蒸発凝縮用切替部が第１作動状態と第２作動状態との間で作動状態の切り替えを行う切替期間の少なくとも一部において、蒸発凝縮用供給部は凝縮用熱媒体および蒸発用熱媒体の流量を調整することを特徴とする。
【０００９】
これにより、作動状態の切替期間の開始時に切替前の熱媒体の流量をできるだけ減少させることができ、切替前の冷却水熱媒体と切替後の熱媒体が混ざり合うことを抑制できる。このため、温度が異なる熱媒体が混ざり合うことを極力抑制でき、蒸発凝縮部での熱ロスを低減することができる。
【００１０】
なお、上記各手段の括弧内の符号は、後述する実施形態に記載の具体的手段との対応関係を示すものである。
【図面の簡単な説明】
【００１１】
【図１】第１実施形態に係る吸着式冷凍機の概念図であり、第１作動状態を示している。
【図２】第１実施形態に係る吸着式冷凍機の概念図であり、第２作動状態を示している。
【図３】ポンプ停止時間と室内熱交換器通過後における空調風の温度変動との関係を示す図である。
【図４】ポンプ停止時期、ポンプ停止時間、作動状態切替時に発生する熱ロスおよび作動状態切替時に混合する冷却水量の関係を示す図である。
【図５】ポンプ停止時期、ポンプ停止時間および作動状態切替時に発生する熱ロスの関係を示す図表である。
【図６】作動状態切替時における蒸発凝縮部への冷却水の流入量を示す図である。
【図７】吸着式冷凍機の作動状態の切り替えを示すフローチャートである。
【図８】第２実施形態に係る吸着式冷凍機の概念図であり、第３作動状態を示している。
【発明を実施するための形態】
【００１２】
（第１実施形態）
以下、本発明の第１実施形態を図１〜図７に基づいて説明する。本第１実施形態では、本発明の吸着式冷凍機を車両空調用吸着式冷凍機に適用している。
【００１３】
図１に示すように、吸着式冷凍機は２つの吸着器１０、２０が設けられている。第１吸着器１０および第２吸着器２０は同一の構成であり、一方の吸着器１０、２０で被吸着媒体の蒸発と吸着が行われているときに、他方の吸着器１０、２０で被吸着媒体の脱離と凝縮が行われる。
【００１４】
第１吸着器１０には、第１密閉容器１１が設けられ、第２吸着器２０には、第２密閉容器２１が設けられている。これらの密閉容器１１、２１は気密構造となっており、内部が略真空状態に保たれている。密閉容器１１、２１の内部には被吸着媒体（冷媒）が封入されている。本第１実施形態では、被吸着媒体として水を用いている。
【００１５】
第１密閉容器１１の内部には、第１吸着部１２と第１蒸発凝縮部１３が設けられ、第２密閉容器２１の内部には、第２吸着部２２と第２蒸発凝縮部２３が設けられている。吸着部１２、２２および蒸発凝縮部１３、２３には、熱媒体が流通する配管と、熱媒体と被吸着媒体との熱交換を促進する伝熱部とが設けられており、吸着部１２、２２では被吸着媒体の吸着および脱離が行われ、蒸発凝縮部１３、２３では被吸着媒体の蒸発および凝縮が行われる。
【００１６】
吸着部１２、２２には、被吸着媒体を吸着するための吸着剤が充填されている。吸着剤は、冷却されることで気相状態の被吸着媒体（水蒸気）を吸着し、加熱されることで吸着した被吸着媒体を脱離して気相状態の被吸着媒体を放出する。吸着剤は、例えばシリカゲルやゼオライトから構成されている。
【００１７】
吸着部１２、２２には、被吸着媒体の吸着が行われる際に外部から吸着を促進するための熱媒体が供給され、被吸着媒体の脱離が行われる際に外部から脱離を促進するための熱媒体が供給される。また、蒸発凝縮部１３、２３には、被吸着媒体の蒸発が行われる際に外部から蒸発を促進するための熱媒体が供給され、被吸着媒体の凝縮が行われる際に外部から凝縮を促進するための熱媒体が供給される。
【００１８】
吸着部１２、２２には、車両走行用のエンジン３０から高温水流路６０を介してエンジン冷却用の熱媒体が供給される。エンジン３０は水冷式内燃機関であり、エンジン冷却用の熱媒体として、水にエチレングリコール系の不凍液を混合した流体（エンジン冷却水）を用いている。エンジン冷却用の熱媒体は、本実施形態で用いられる冷却水のうち高温（例えば９０℃）の冷却水であり、以下「高温水」ともいう。高温水が本発明の「脱離用熱媒体」に相当している。
【００１９】
蒸発凝縮部１３、２３には、車両用空調装置４０から低温水流路６１を介して空調用の熱媒体が供給される。本第１実施形態では、空調用の熱媒体としてエンジン冷却用の熱媒体と同一の流体、すなわち水にエチレングリコール系の不凍液を混合した流体を用いている。空調用の熱媒体は、本実施形態で用いられる冷却水のうち低温（例えば１０℃）の冷却水であり、以下「低温水」ともいう。低温水が本発明の「蒸発用熱媒体」に相当している。
【００２０】
車両用空調装置４０は、車室内に吹き出す空気の通路を構成する空調ケース４１が設けられている。空調ケース４１の内部には、空気流れ上流側から順に送風機４２、室内熱交換器４３、ヒータコア４４が設けられている。
【００２１】
室内熱交換器４３は、蒸発凝縮部１３、２３で被吸着媒体の蒸発潜熱によって冷却された熱媒体から冷凍能力を得て、空調ケース４１内を流通する空気を冷却するようになっている。ヒータコア４４には、エンジン３０から流出した高温水が流通し、室内熱交換器４３を通過した後の空気を加熱するようになっている。ヒータコア４４の空気流れ上流側には図示しないエアミックスドアが設けられている。このエアミックスドアでヒータコア４４を通過する風量割合を調整することで、空調風の温度調整が可能となっている。
【００２２】
吸着部１２、２２および蒸発凝縮部１３、２３には、室外熱交換器５０を通過した熱媒体が中温水流路６２を介して供給される。室外熱交換器５０は、熱媒体と室外空気とを熱交換して熱媒体を冷却する放熱器として機能する。
【００２３】
室外熱交換器５０を流通する熱媒体は、高温水や低温水と同一の流体、すなわち水にエチレングリコール系の不凍液を混合した流体を用いている。室外熱交換器５０を流通する熱媒体は、高温水（つまり、エンジン冷却用の熱媒体）と低温水（つまり、空調用の熱媒体）の中間の温度（例えば４０℃）の冷却水であり、以下「中温水」ともいう。中温水が本発明の「凝縮用熱媒体」および「吸着用熱媒体」に相当している。
【００２４】
室外熱交換器５０から流出した中温水は、吸着器１１、２２および蒸発凝縮部１３、２３に分岐して流れる。つまり、中温水が流通する中温水流路６２は、中温水を吸着器１１、２２に供給する吸着部側流路６２ａと、中温水を蒸発凝縮部１３、２３に供給する蒸発凝縮部側流路６２ｂとを含んでいる。
【００２５】
上述のように、吸着部１２、２２には、高温水または中温水が流入し、蒸発凝縮部１３、２３には、低温水または中温水が流入する。これらの冷却水流路の切り替えは、切替弁７０〜７６によって行われる。
【００２６】
吸着部１２、２２に供給される高温水および中温水の切り替えは、第１切替弁７０、第２切替弁７１、第３切替弁７２および第４切替弁７３によって行われる、蒸発凝縮部１３、２３に供給される低温水および中温水の切り替えは、第５切替弁７４、第６切替弁７５、第７切替弁７６および第８切替弁７７によって行われる、なお、切替弁７０〜７３が本発明の「吸着脱離用切替部」に相当し、切替弁７４〜７７が本発明の「蒸発凝縮用切替部」に相当している。
【００２７】
第１切替弁７０は、エンジン３０の流出側と第１吸着部１２の流入側を連通させる状態と、エンジン３０の流出側と第２吸着部２２の流入側を連通させる状態とを切り替えることができる。第２切替弁７１は、室外熱交換器５０の流出側と第１吸着部１２の流入側を連通させる状態と、室外熱交換器５０の流出側と第２吸着部２２の流入側を連通させる状態とを切り替えることができる。第１切替弁７０と第２切替弁７１は連動して作動する。
【００２８】
第３切替弁７２は、第１吸着部１２の流出側とエンジン３０の流入側を連通させる状態と、第１吸着部１２の流出側と室外熱交換器５０の流入側を連通させる状態とを切り替えることができる。第４切替弁７３は、第２吸着部２２の流出側と室外熱交換器５０の流入側を連通させる状態と、第２吸着部２２の流出側とエンジン３０の流入側を連通させる状態とを切り替えることができる。第３切替弁７２と第４切替弁７３は連動して作動する。
【００２９】
第５切替弁７４は、室外熱交換器５０の流出側と第１蒸発凝縮部１３の流入側を連通させる状態と、室外熱交換器５０の流出側と第２蒸発凝縮部２３の流入側を連通させる状態とを切り替えることができる。第６切替弁７５は、室内熱交換器４３の流出側と第２蒸発凝縮部２３の流入側を連通させる状態と、室内熱交換器４３の流出側と第１蒸発凝縮部１３の流入側を連通させる状態とを切り替えることができる。第５切替弁７４と第６切替弁７５は連動して作動する。
【００３０】
第７切替弁７６は、第２蒸発凝縮部２３の流出側と室内熱交換器４３の流入側を連通させる状態と、第２蒸発凝縮部２３の流出側と室外熱交換器５０の流入側を連通させる状態とを切り替えることができる。第８切替弁７７は、第１蒸発凝縮部１３の流出側と室外熱交換器５０の流入側を連通させる状態と、第１蒸発凝縮部１３の流出側と室内熱交換器４３の流入側を連通させる状態とを切り替えることができる。第７切替弁７６と第８切替弁７７は連動して作動する。
【００３１】
吸着式冷凍機は、冷却水を吸着部１２、２２および蒸発凝縮部１３、２３に供給するためのポンプ８０〜８３を備えている。第１ポンプ８０および第３ポンプ８２は、冷却水を吸着部１２、２２に供給するためのポンプであり、第２ポンプ８１および第４ポンプ８３は、冷却水を蒸発凝縮部１３、２３に供給するためのポンプである。
【００３２】
ポンプ８０〜８３は、冷却水の供給量を調整することができる。具体的には、ポンプ８０〜８３によって、冷却水を所定流量で供給すること、冷却水の供給量を減少させること、冷却水の供給を停止すること、冷却水の供給量を減少あるいは供給を停止させた後に、冷却水を所定流量で供給すること等を行うことができる。なお、ポンプ８０、８２が本発明の「吸着脱離用供給部」に相当し、ポンプ８１、８３が本発明の「蒸発凝縮用供給部」に相当している。
【００３３】
第１ポンプ８０は、高温水流路６０に設けられている。第１ポンプ８０は、エンジン３０の熱媒体流入側に設けられ、エンジン３０から高温水を第１吸着部１２または第２吸着部２２に供給する。
【００３４】
第２ポンプ８１は、低温水流路６１に設けられている。第２ポンプ８１は、室内熱交換器４３の流出側に設けられ、室内熱交換器４３から低温水を第１蒸発凝縮部１３または第２蒸発凝縮部２３に供給する。
【００３５】
第３ポンプ８２は、中温水流路６２の吸着部側流路６２ａに設けられている。第３ポンプ８２は、室外熱交換器５０の流出側に設けられ、室外熱交換器５０から中温水を第１吸着部１２または第２吸着部２２に供給する。
【００３６】
第４ポンプ８３は、中温水流路６２の蒸発凝縮部側流路６２ｂに設けられている。第４ポンプ８４は、室外熱交換器５０の流出側に設けられ、室外熱交換器５０から中温水を第１蒸発凝縮部１３または第２蒸発凝縮部２３に供給する。
【００３７】
吸着式冷凍機には、図示しない電子制御装置が設けられている。電子制御装置は、ＣＰＵ、ＲＯＭ及びＲＡＭ等を含む周知のマイクロコンピュータとその周辺回路から構成されており、送風機４２、切替弁７０〜７７およびポンプ８０〜８３に制御信号を出力し、これらの機器の作動を制御する。
【００３８】
本実施形態の吸着式冷凍機は、図１に示す第１作動状態および図２に示す第２作動状態を切り替えることができる。
【００３９】
図１に示す第１作動状態では、エンジン３０から流出した高温水が第１吸着部１２に循環する高温水回路と、室外熱交換器５０から流出した中温水が第２吸着部２２および第１蒸発凝縮部１３に循環する中温水回路と、室内熱交換器４３から流出した低温水が第２蒸発凝縮部２３に循環する低温水回路が形成される。中温水回路には、吸着側の中温水回路と蒸発凝縮側の中温水回路が含まれている。
【００４０】
第１作動状態の各冷却水回路について説明する。高温水回路では、高温水がエンジン３０→ヒータコア４４→第１切替弁７０→第１吸着部１２→第３切替弁７２→第１ポンプ８０→エンジン３０の順に流通する。吸着側の中温水回路では、中温水が室外熱交換器５０→第３ポンプ８２→第２切替弁７１→第２吸着部２２→第４切替弁７３→室外熱交換器５０の順に流通する。蒸発凝縮側の中温水回路では、中温水が室外熱交換器５０→第４ポンプ８３→第５切替弁７４→第１蒸発凝縮部１３→第８切替弁７７→室外熱交換器５０の順に流通する。低温水回路では、低温水が室内熱交換器４３→第２ポンプ８１→第６切替弁７５→第２蒸発凝縮部２３→第７切替弁７６→室内熱交換器４３の順に流通する。
【００４１】
第１作動状態では、第１吸着部１２にエンジン３０から高温水が流入し、第２吸着部２２に室外熱交換器５０から中温水が流入する。また、第１蒸発凝縮部１３に室外熱交換器５０から中温水が流入し、第２蒸発凝縮部２３に室内熱交換器４３から低温水が流入する。
【００４２】
第１吸着部１２では、エンジン３０からの高温水によって、吸着剤に吸着されている被吸着媒体の脱離が促進される。第１蒸発凝縮部１３では、室外熱交換器５０からの中温水によって、第１吸着部１２から脱離した気相の被吸着媒体の凝縮が促進される。第２蒸発凝縮部２３では、室内熱交換器４３からの低温水によって、被吸着媒体の蒸発が促進される。被吸着媒体の蒸発潜熱で冷却された低温水は室内熱交換器４３に流入し、空調風が冷却される。第１作動状態では、第２蒸発凝縮部２３を通過する前後の低温水の温度差が吸着式冷凍機の冷凍出力となる。
【００４３】
第２吸着部２２では、第２蒸発凝縮部２３で蒸発した気相の被吸着媒体を吸着し、第２蒸発凝縮部２３での被吸着媒体の蒸発が促進される。このとき、第２吸着部２２で被吸着媒体の吸着に伴って発生する熱は、室外熱交換器５０からの中温水によって除去される。これにより、第２吸着部２２の温度上昇が抑制され、吸着剤の吸着能力低下が抑制される。
【００４４】
以上のように、第１作動状態では、第１吸着器１０で被吸着媒体の脱離および脱離した気相の被吸着媒体の凝縮が行われ、第２吸着器２０で被吸着媒体媒の蒸発および蒸発した気相の被吸着媒体の吸着が行われる。したがって、第１作動状態では、第１蒸発凝縮部１３は気相の被吸着媒体を凝縮させる凝縮器として機能し、第２蒸発凝縮部２３は液相の被吸着媒体を蒸発させる蒸発器として機能する。
【００４５】
図２に示すように、第２作動状態では、エンジン３０から流出した高温水が第２吸着部２２に循環する高温水回路と、室外熱交換器５０から流出した中温水が第１吸着部１２および第２蒸発凝縮部２３に循環する中温水回路と、室内熱交換器４３から流出した低温水が第１蒸発凝縮部１３に循環する低温水回路が形成される。
【００４６】
第２作動状態で形成される各冷却水回路について説明する。高温水回路では、高温水がエンジン３０→ヒータコア４４→第１切替弁７０→第２吸着部２２→第４切替弁７３→第１ポンプ８０→エンジン３０の順に流通する。吸着側の中温水回路では、中温水が室外熱交換器５０→第３ポンプ８２→第２切替弁７１→第１吸着部１２→第３切替弁７２→室外熱交換器５０の順に流通する。蒸発凝縮側の中温水回路では、中温水が室外熱交換器５０→第４ポンプ８３→第５切替弁７４→第２蒸発凝縮部２３→第７切替弁７６→室外熱交換器５０の順に流通する。低温水回路では、低温水が室内熱交換器４３→第２ポンプ８１→第６切替弁７５→第１蒸発凝縮部１３→第８切替弁７７→室内熱交換器４３の順に流通する。
【００４７】
第２作動状態では、上述した第１作動状態に対して、第１吸着器１０と第２吸着器２０の作動が入れ替わる。つまり、第１吸着器１０では、被吸着媒体の蒸発および蒸発した被吸着媒体の吸着が行われ、第２吸着器２０では、被吸着媒体の脱離および脱離した被吸着媒体の冷却凝縮が行われる。したがって、第２作動状態では、第１蒸発凝縮部１３は液相の被吸着媒体を蒸発させる蒸発器として機能し、第２蒸発凝縮部２３は気相の被吸着媒体を凝縮させる凝縮器として機能する。
【００４８】
第２作動状態では、第１蒸発凝縮部１３で液相の被吸着媒体が蒸発し、被吸着媒体の蒸発潜熱で室内熱交換器４３に循環する低温水が冷却される。つまり、第２作動状態では、第１蒸発凝縮部１３を通過する前後の低温水の温度差が、吸着式冷凍機の冷凍出力となる。
【００４９】
第１作動状態および第２作動状態の切り替えは、切替弁７０〜７７によって冷却水流路を切り替えることで行うことができる。吸着式冷凍機の作動状態の切り替えは、所定周期毎に行われる。２つの吸着部１２、２２で所定周期毎に被吸着媒体の吸着と脱離を切り替えることで、冷凍能力を継続的に発揮させることができる。本実施形態では、吸着式冷凍機の作動状態の切替周期を６０秒としている。
【００５０】
次に、吸着式冷凍機の作動状態の切り替えに伴う蒸発凝縮部１３、２３に流入する冷却水の切り替えについて説明する。「発明が解決しようとする課題」で上述したように、切替弁７０〜７７による冷却水流路の切り替えには、開始から完了までに所定時間を要するため、蒸発凝縮部１３、２３には温度が異なる冷却水が混合して流入する。本実施形態では、切替弁７０〜７７による冷却水流路の切替時間を４秒としている。
【００５１】
切替弁７４〜７７による冷却水流路の切替開始から切替終了までの期間が作動状態の切替期間である。作動状態の切替期間中は、切替後の冷却水が低温水である場合には、切替前の中温水が混合することで温度上昇し、切替後の冷却水が中温水である場合には、切替前の低温水が混合することで温度低下する。このため、作動状態の切替に伴って、蒸発凝縮部１３、２３で熱ロスが発生する。
【００５２】
そこで、本実施形態では、吸着式冷凍機の作動状態の切替時に、蒸発凝縮部１３、２３に冷却水を供給するためのポンプ８１、８３を一時的に停止するように構成されている。具体的には、切替弁７４〜７７による冷却水流路の切替開始を契機として、ポンプ８１、８３を停止する。これにより、蒸発凝縮部１３、２３に流入する冷却水（つまり、低温水または中温水）の流量が低減し、温度が異なる冷却水が混合することを抑制でき、熱ロスを低減することができる。
【００５３】
温度が異なる冷却水の混合量をできるだけ少なくするために、切替弁７４〜７７による冷却水流路の切替開始時に蒸発凝縮部１３、２３に流入する冷却水の流量ができるだけ少なくなっていることが望ましい。このため、ポンプ８１、８３の停止時期は、切替弁７４〜７７による冷却水流路の切替開始と同時あるいは切替開始前とすることが望ましい。
【００５４】
ポンプ８１、８３の再開時期は、ポンプ８１、８３の停止時間に基づいて設定すればよい。ポンプ８１、８３の再開時期は、例えば、切替弁７４〜７７による冷却水流路の切替終了と同時、切替終了前、あるいは切替終了後とすることができる。
【００５５】
本実施形態では、ポンプ８１、８３の停止を所定時間継続させることで、蒸発凝縮部１３、２３に流入する冷却水の流量をできるだけ少なくしている。ポンプ８１、８３の停止時間が長いほど冷却水流量が少なくなり、温度が異なる冷却水の混合量が少なくなる。一方、第２ポンプ８１が停止すると室内熱交換器４３に低温水が流入しなくなるため、室内熱交換器４３の冷却能力が低下する。このため、第２ポンプ８１の停止時間が長いほど室内熱交換器４３を通過した後の空調風の温度が上昇する。
【００５６】
そこで、本実施形態では、第２ポンプ８１の停止に起因する室内熱交換器４３通過後の空調風の温度変動に基づいて、ポンプ８１、８３の停止時間の上限値を設定している。具体的には、第２ポンプ８１の停止による室内熱交換器４３通過後の空調風の温度上昇値が所定値以下となるように、ポンプ８１、８３の停止時間を設定する。本実施形態では、「所定値」を２℃としている。
【００５７】
図３は、第２ポンプ８１の停止時間を１秒、２秒、３秒および４秒にした場合において、室内熱交換器４３通過後の空調風の温度変動を示している。図３に示すように、第２ポンプ８１の停止時間を３．８秒未満にすることで、室内熱交換器４３通過後の空調風の温度変動を２℃以下にすることができる。
【００５８】
図４は、ポンプ８１、８３の停止時期および停止時間を変化させた場合の作動状態切替に伴って発生する熱ロスと作動状態切替に伴って混合する冷却水量を示している。図４では、切替弁７４〜７７の切替開始を契機とするポンプ８１、８３の停止時期を、切替開始と同時、切替開始の１秒前、切替開始の２秒前とした場合のそれぞれにおいて、ポンプ８１、８３の停止時間を変動させた場合を示している。
【００５９】
図４において、丸図形はポンプ８１、８３の停止時期を切替弁７４〜７７の切替開始と同時にした場合を示し、四角形はポンプ８１、８３の停止時期を切替弁７４〜７７の切替開始の１秒前にした場合を示し、三角形はポンプ８１、８３の停止時期を切替弁７４〜７７の切替開始の２秒前にした場合を示している。また、白抜きの各図形の中に記された数字はポンプ８１、８３の停止時間を示している。
【００６０】
図４に示すように、ポンプ８１、８３の各停止時期において、ポンプ８１、８３の停止時間を長くするほど、作動状態の切替時に混合する冷却水量が減少し、作動状態切替に伴って発生する熱ロスが減少している。本実施形態では、作動状態切替に伴って発生する熱ロスを０．１０ｋＷ未満とすることを目標としている。
【００６１】
図５に示すように、ポンプ８１、８３の停止時期を切替弁７４〜７７の切替開始と同時にした場合は、ポンプ８１、８３の停止時間を３．０秒とすることで、ポンプ８１、８３の停止時間を３．８秒未満、かつ、熱ロスを０．１０ｋＷ未満とすることができる。この場合には、切替弁７４〜７７の切替開始から３秒後、すなわち作動状態の切替期間が終了する１秒前にポンプ８１、８３の作動が再開する。
【００６２】
また、ポンプ８１、８３の停止時期を切替弁７４〜７７の切替開始の１秒前にした場合は、ポンプ８１、８３の停止時間を３．０秒とすることで、ポンプ８１、８３の停止時間を３．８秒未満、かつ、熱ロスを０．１０ｋＷ未満とすることができる。この場合には、切替弁７４〜７７の切替開始から２秒後、すなわち作動状態の切替期間が終了する２秒前にポンプ８１、８３の作動が再開する。
【００６３】
また、ポンプ８１、８３の停止時期を切替弁７４〜７７の切替開始の２秒前にした場合は、ポンプ８１、８３の停止時間を３．０秒とすることで、ポンプ８１、８３の停止時間を３．８秒未満、かつ、熱ロスを０．１０ｋＷ未満とすることができる。この場合には、切替弁７４〜７７の切替開始から１秒後、すなわち作動状態の切替期間が終了する３秒前にポンプ８１、８３の作動が再開する。
【００６４】
図６は、蒸発凝縮部１３、２３に流入する中温水および低温水の流量を示している。図６において、実線が中温水の流量を示し、一点鎖線が低温水の流量を示している。図６では、切替弁７４〜７７による冷却水流路の切替時にポンプ８１、８３を停止させない場合の中温水および低温水の流量を破線で示している。また、本実施形態では、ポンプ８１、８３を定常運転した場合の冷却水流量を１５Ｌ／ｍｉｎとしている。
【００６５】
図６に示すように、第１作動状態では、第１蒸発凝縮部１３に中温水が供給され、第２蒸発凝縮部２３に低温水が供給される。第２作動状態では、第１蒸発凝縮部１３に低温水が供給され、第２蒸発凝縮部２３に中温水が供給される。このため、第１作動状態から第２作動状態に切り替わる際には、第１蒸発凝縮部１３に供給される冷却水は中温水から低温水に切り替わり、第２蒸発凝縮部２３に供給される冷却水は低温水から中温水に切り替わる。
【００６６】
図６の破線に示すように、ポンプ８１、８３を停止させない場合には、切替弁７４〜７７による切替開始時から、切替前の冷却水の流量が１５Ｌ／ｍｉｎから徐々に減少し、切替後の冷却水の流量が０Ｌ／ｍｉｎから徐々に増加する。そして、切替弁７４〜７７による切替終了時に、切替前の冷却水の流量が０Ｌ／ｍｉｎになり、切替後の冷却水の流量が１５Ｌ／ｍｉｎとなる。
【００６７】
このため、ポンプ８１、８３を停止させない場合には、切替弁７４〜７７による切替期間中に、切替前の冷却水と切替後の冷却水が混合する。このため、低温水は温度が上昇した状態で蒸発凝縮部１３、２３に供給され、中温水は温度が低下した状態で蒸発凝縮部１３、２３に供給され、熱ロスが発生する。図６における右上がりの斜線で示す部分が、ポンプ８１、８３を停止させない場合に発生する熱ロスを示している。
【００６８】
本実施形態では、切替弁７４〜７７による切替開始を契機としてポンプ８１、８３の作動を停止させている。図６に示す例では、切替弁７４〜７７による切替開始前にポンプ８１、８３の作動を停止させている。これにより、切替弁７４〜７７による切替開始時に切替前の冷却水の流量をできるだけ減少させることができ、蒸発凝縮部１３、２３で切替前の冷却水と切替後の冷却水が混ざり合うことを抑制できる。
【００６９】
次に、吸着式冷凍機の作動状態切替時における蒸発凝縮部１３、２３に供給される冷却水の切替制御を図７のフローチャートに基づいて説明する。図７に示す冷却水の切替制御は、図示しない電子制御装置からの制御信号に基づいて切替弁７４〜７７、ポンプ８１、８３が作動することによって実行される。
【００７０】
まず、吸着式冷凍機の作動状態の切替タイミングであるか否かを判定する（Ｓ１０）。第１作動状態または第２作動状態が継続すると、吸着部１２、２２における被吸着媒体の吸着量が増大する。これに伴い、吸着部１２、２２における被吸着媒体の吸着能力が低下し、吸着式冷凍機の冷凍出力が低下する。このため、本実施形態では、第１作動状態または第２作動状態での運転開始から所定時間が経過した時点を作動状態の切替タイミングとしており、所定時間を６０秒に設定している。
【００７１】
Ｓ１０の判定処理で、吸着式冷凍機の作動状態の切替タイミングでないと判定された場合には（Ｓ１０：ＮＯ）、吸着式冷凍機の作動状態の切替タイミングが到来するまで待機する。一方、吸着式冷凍機の作動状態の切替タイミングであると判定された場合には（Ｓ１０：ＹＥＳ）、第２ポンプ８１、第４ポンプ８３の作動を停止させる（Ｓ１１）。
【００７２】
Ｓ１１の処理では、図示しない電子制御装置からの作動停止信号に基づいて、ポンプ８１、８３が作動を停止する。本実施形態では、切替弁７４〜７７による冷却水流路の切替開始前にポンプ８１、８３を停止させている。
【００７３】
次に、切替弁７４〜７７による低温水および中温水の流路切替を開始する（Ｓ１２）。
【００７４】
次に、ポンプ８１、８３の停止時間が経過したか否かを判定する（Ｓ１３）。この結果、ポンプ８１、８３の停止時間が経過していないと判定された場合には（Ｓ１３：ＮＯ）、ポンプ８１、８３の停止時間が経過するまで待機する。一方、ポンプ８１、８３の停止時間が経過したと判定された場合には（Ｓ１３：ＹＥＳ）、ポンプ８１、８３の作動を再開する（Ｓ１４）。本実施形態では、切替弁７４〜７７による冷却水流路の切替終了前にポンプ８１、８３の作動を再開させている。その後、切替弁７４〜７７による低温水および中温水の流路切替が終了する（Ｓ１５）。
【００７５】
以上説明した本第１実施形態によれば、吸着式冷凍機の作動状態の切替時に、蒸発凝縮部１３、２３に冷却水を供給するためのポンプ８１、８３を一時的に停止させている。これにより、切替弁７４〜７７による切替開始時に切替前の冷却水の流量をできるだけ減少させることができ、切替前の冷却水と切替後の冷却水が混ざり合うことを抑制できる。このため、温度が異なる冷却水が混ざり合うことを極力抑制でき、蒸発凝縮部１３、２３での熱ロスを低減することができる。
【００７６】
また、本実施形態では、切替弁７４〜７７による冷却水流路の切替開始前にポンプ８１、８３を停止させている。これにより、ポンプ８１、８３の作動を停止してから冷却水流量が減少するのに時間がかかる場合であっても、切替弁７４〜７７による切替開始時に切替前の冷却水の流量を確実に減少させることができ、切替前の冷却水と切替後の冷却水が混ざり合うことを抑制できる。
【００７７】
また、本実施形態では、切替弁７４〜７７による冷却水流路の切替終了前にポンプ８１、８３を再作動させている。これにより、ポンプ８１、８３の作動を再開してから冷却水流量が増加するのに時間がかかる場合であっても、切替弁７４〜７７による切替終了時に切替後の冷却水の流量を確実に増大させた状態で蒸発凝縮部１３、２３に供給することができる。
【００７８】
（第２実施形態）
次に、本発明の第２実施形態を図８に基づいて説明する。上記第１実施形態と同様の部分については説明を省略し、異なる部分についてのみ説明する。
【００７９】
本第２実施形態では、上記第１実施形態と比較して、第１作動状態と第２作動状態を切り替える際に第１蒸発凝縮部１３と第２蒸発凝縮部２３との間で熱交換させる第３作動状態を経由させる点が異なっている。第３作動状態では、第１蒸発凝縮部１３と第２蒸発凝縮部２３との間で中温水および低温水を循環させる冷却水回路が形成させる。このため、本第２実施形態の吸着式冷凍機では、第１作動状態→第３作動状態→第２作動状態→第３作動状態→第１作動状態の順に作動状態が切り替わる。
【００８０】
第１作動状態および第２作動状態との間で作動状態が切り替わると、蒸発凝縮部１３、２３に温度が異なる冷却水が供給される。例えば、第１作動状態から直接第２作動状態に切り替わると、第１蒸発凝縮部１３に供給される冷却水は中温水から低温水に切り替わり、第２蒸発凝縮部２３に供給される冷却水は低温水から中温水に切り替わる。このため、第１作動状態と第２作動状態との間で直接切り替えを行った直後には、蒸発凝縮部１３、２３と切替後の冷却水との温度差が大きくなり、蒸発凝縮部１３、２３での熱ロスが増加するため、外部からの投入熱量が多く必要となる。
【００８１】
これに対し、本第２実施形態の第３作動状態を経由させることで、第１蒸発凝縮部１３と第２蒸発凝縮部２３との間で熱交換させることができる。これにより、低温水が供給されていた蒸発凝縮部１３、２３は中温水の温度に近づけることができ、中温水が供給されていた蒸発凝縮部１３、２３は低温水の温度に近づけることができる。
【００８２】
第３作動状態は、第１作動状態および第２作動状態を切り替える際に、第５切替弁７４および第６切替弁７５と、第７切替弁７６および第８切替弁７７とで、切替開始時期を異ならせることで実現できる。本第２実施形態では、切替弁７６、７７の切替開始時期を切替弁７４、７５の切替開始時期よりも遅らせている。なお、切替弁７０〜７３の作動は、上記第１実施形態と同一となっている。
【００８３】
図８は、本第２実施形態の吸着式冷凍機において、第１作動状態から第２作動状態に切り替わる際に経由する第３作動状態を示している。第３作動状態は、作動状態の切替開始を契機としてポンプ８１、８３を停止させた後、冷却水の流量が減少する過程で実行される。
【００８４】
図１に示す第１作動状態では、切替弁７４〜７７は以下の状態になっている。第５切替弁７４は、室外熱交換器５０の流出側と第１蒸発凝縮部１３の流入側を連通させる状態になっている。第６切替弁７５は、室内熱交換器４３の流出側と第２蒸発凝縮部２３の流入側を連通させる状態になっている。第７切替弁７６は、第２蒸発凝縮部２３の流出側と室内熱交換器４３の流入側を連通させる状態になっている。第８切替弁７７は、第１蒸発凝縮部１３の流出側と室外熱交換器５０の流入側を連通させる状態になっている。
【００８５】
図８に示す第３作動状態では、切替弁７４〜７７は以下の状態になっている。第５切替弁７４は、室外熱交換器５０と第１蒸発凝縮部１３を連通させる状態から室外熱交換器５０と第２蒸発凝縮部２３を連通させる状態に切り替わり、第６切替弁７５は、室内熱交換器４３と第２蒸発凝縮部２３を連通させる状態から室内熱交換器４３と第１蒸発凝縮部１３を連通させる状態に切り替わる。第７切替弁７６および第８切替弁７７は、第１作動状態のまま維持する。
【００８６】
図８に示す第３作動状態では、第１蒸発凝縮部１３および第２蒸発凝縮部２３が同一の冷却水回路で接続された状態となる。具体的には、図８に示す第３作動状態では、冷却水は第１蒸発凝縮部１３→第８切替弁７７→室外熱交換器５０→第４ポンプ８３→第５切替弁７４→第２蒸発凝縮部２３→第７切替弁７６→室内熱交換器４３→第２ポンプ８１→第６切替弁７５→第１蒸発凝縮部１３の順に流れる。
【００８７】
第３作動状態を所定時間継続した後、図２に示す第２作動状態に移行する。具体的には、第７切替弁７６が第２蒸発凝縮部２３の流出側と室内熱交換器４３の流入側を連通させる状態から第２蒸発凝縮部２３の流出側と室外熱交換器５０の流入側を連通させる状態に切り替わり、第８切替弁７７が第１蒸発凝縮部１３の流出側と室外熱交換器５０の流入側を連通させる状態から第１蒸発凝縮部１３の流出側と室内熱交換器４３の流入側を連通させる状態に切り替わる。
【００８８】
第２作動状態から第１作動状態に移行させる際の第３作動状態では、切替弁７４〜７７は以下の状態になる。第５切替弁７４は、室外熱交換器５０と第２蒸発凝縮部２３を連通させる状態から室外熱交換器５０と第１蒸発凝縮部１３を連通させる状態に切り替わり、第６切替弁７５は、室内熱交換器４３と第１蒸発凝縮部１３を連通させる状態から室内熱交換器４３と第２蒸発凝縮部２３を連通させる状態に切り替わる。第７切替弁７６および第８切替弁７７は、第２作動状態のまま維持する。
【００８９】
これにより、第１蒸発凝縮部１３および第２蒸発凝縮部２３が同一の冷却水回路で接続された状態となる。冷却水は第１蒸発凝縮部１３→第８切替弁７７→室内熱交換器４３→第２ポンプ８１→第６切替弁７５→第２蒸発凝縮部２３→第７切替弁７６→室外熱交換器５０→第４ポンプ８３→第５切替弁７４→第１蒸発凝縮部１３の順に流れる。
【００９０】
第３作動状態において、第１蒸発凝縮部１３および第２蒸発凝縮部２３との間で熱交換した場合の顕熱交換量Ｑ（ｋＪ）は、以下の数式１で算出することができる。
【００９１】
【数１】
2019124433.tif 000003
ただし、ｍ（ｔ）は冷却水流量（ｋｇ／秒）であり、Ｃｐは冷却水比熱（ｋＪ／ｋｇＫ）であり、Ｔｏｕｔ（ｔ）は蒸発凝縮部の出口温度（℃）であり、Ｔｉｎ（ｔ）は蒸発凝縮部の入口温度（℃）であり、Δｔは制御実行時間（秒）である。
【００９２】
第３作動状態の実行時間は、第１蒸発凝縮部１３および第２蒸発凝縮部２３との間の顕熱交換量に基づいて設定することができる。例えば、第３作動状態の実行時間を顕熱交換量が所定値に達するまでに要する時間とすることができる。
【００９３】
以上説明した本第２実施形態によれば、吸着式冷凍機の作動状態を切り替える際に第１蒸発凝縮部１３と第２蒸発凝縮部２３との間で熱交換する第３作動状態を設けている。これにより、２つの蒸発凝縮器１３、２３の間で熱交換させることができ、作動状態の切替直後において、蒸発凝縮部１３、２３と切替後の冷却水との温度差を小さくすることができる。この結果、作動状態の切替時において、蒸発凝縮部１３、２３での熱ロスが抑制され、外部からの投入熱量が小さくすることができる。
【００９４】
（第３実施形態）
次に、本発明の第３実施形態を説明する。上記各実施形態と同様の部分については説明を省略し、異なる部分についてのみ説明する。
【００９５】
第１作動状態および第２作動状態の切り替えに伴う吸着部１２、２２に流入する冷却水の切り替えについて説明する。上述したように、切替弁７０〜７７による冷却水流路の切り替えには、開始から完了までに所定時間を要する。このため、切替弁７０〜７３による冷却水流路の切替期間中に、吸着部１２、２２には温度が異なる冷却水が混合して流入する。
【００９６】
切替弁７０〜７３による冷却水流路の切替期間中（つまり、作動状態の切替期間中）は、切替後の冷却水が中温水である場合には、切替前の高温水が混合することで温度上昇し、切替後の冷却水が高温水である場合には、切替前の中温水が混合することで温度低下する。このため、第１作動状態および第２作動状態との間の切替に伴って、吸着部１２、２２では熱ロスが発生する。
【００９７】
そこで、本第３実施形態では、切替弁７０〜７３による冷却水流路の切替開始を契機として、吸着部１２、２２に冷却水を供給するための第１ポンプ８０および第３ポンプ８２を一時的に停止させるように構成している。
【００９８】
第１ポンプ８０および第３ポンプ８２の停止時期および停止時間は、上記第１実施形態で説明した蒸発凝縮部１３、２３に冷却水を供給するための第２ポンプ８１および第４ポンプ８３の停止時期および停止時間と同じにすることができる。
【００９９】
以上説明した本第３実施形態では、切替弁７０〜７３による切替開始を契機として、吸着部１２、２２に冷却水を供給するポンプ８０、８２の作動を停止させている。これにより、切替弁７０〜７３による冷却水流路の切替開始時に切替前の冷却水の流量をできるだけ減少させることができ、吸着部１２、２２で切替前の冷却水と切替後の冷却水が混ざり合うことを抑制できる。このため、温度が異なる冷却水が混ざり合うことを極力抑制でき、吸着部１２、２２での熱ロスを低減することができる。
【０１００】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１０１】
（１）上記各実施形態では、本発明を車両空調用吸着式冷凍機に適用したが、これに限らず、家庭用や業務用等の吸着式冷凍機に適用してもよい。
【０１０２】
（２）上記各実施形態では、切替弁７０〜７７をそれぞれ個別の切替弁として構成したが、これに限らず、第１切替弁７０および第２切替弁７１、第３切替弁７２および第４切替弁７３、第５切替弁７４および第６切替弁７５、第７切替弁７６および第８切替弁７７は、それぞれ１つの切替弁として構成してもよい。
【０１０３】
（３）上記第１実施形態で説明した蒸発凝縮部１３、２３に冷却水を供給するポンプ８１、８３の停止制御と、上記第３実施形態で説明した吸着部１２、２２に冷却水を供給するポンプ８０、８２の停止制御は、同時に実施してもよく、それぞれ単独で実施してもよい。
【０１０４】
（４）上記第１、第２実施形態では、切替弁７４〜７７による冷却水流路の切替開始を契機としてポンプ８１、８３を停止させ、上記第３実施形態では、切替弁７０〜７３による冷却水流路の切替開始を契機としてポンプ８０、８２を停止させるように構成したが、ポンプ８０〜８３を完全に停止させる場合に限らず、ポンプ８０〜８３による冷却水の供給量を減少させるようにしてもよい。
【０１０５】
（５）上記第２実施形態の第３作動状態では、第７切替弁７６および第８切替弁７７の切替開始時期を第５切替弁７４および第６切替弁７５の切替開始時期よりも遅らせることで、第１蒸発凝縮部１３と第２蒸発凝縮部２３を同一の冷却水回路で接続するように構成したが、これに限らず、第５切替弁７４および第６切替弁７５の切替開始時期を第７切替弁７６および第８切替弁７７の切替開始時期よりも遅らせるようにしてもよい。このような構成によっても、第１蒸発凝縮部１３と第２蒸発凝縮部２３を同一の冷却水回路で接続することができる。
【０１０６】
（６）上記第２実施形態の第３作動状態では、第１蒸発凝縮部１３と第２蒸発凝縮部２３を同一の冷却水回路で接続するように構成したが、これに限らず、第３作動状態で第１吸着部１２および第２吸着部２２を同一の冷却水回路で接続するようにしてもよい。この場合には、第３作動状態では、第１吸着部１２と第２吸着部２２との間で高温水および中温水を循環させる冷却水回路が形成させる。第１作動状態と第２作動状態との間で作動状態を切り替える際に、切替弁７０、７１と切替弁７２、７３の切替開始時期を異ならせることで、第１吸着部１２および第２吸着部２２を同一の冷却水回路で接続する第３作動状態を実現することができる。
【符号の説明】
【０１０７】
１０、２０    吸着器
１２、２２    吸着部
１３、２３    蒸発凝縮部
７０〜７７    切替弁（蒸発凝縮用切替部、吸着脱離用切替部）
８０〜８３    ポンプ（蒸発凝縮用供給部、吸着脱離用供給部）
【図１】
2019124433.tif 000004
【図２】
2019124433.tif 000005
【図３】
2019124433.tif 000006
【図４】
2019124433.tif 000007
【図５】
2019124433.tif 000008
【図６】
2019124433.tif 000009
【図７】
2019124433.tif 000010
【図８】
2019124433.tif 000011